(57)【要約】【課題】            カットされた髪の毛などが付着せず、かつ、髪の毛を除去するための清掃が簡単であるので、長期間の使用が可能であると共に被着者への装着が容易で、しかも上半身の全体を覆うことが可能な美容用カットケープを提供する。【解決手段】        略長方形状の上方中央部に設けられ被着者のネック部に装着される円形開口部をなす襟首部Ｘが形成され、シート本体１は被着者の背中側に折り返す折返し部が形成され、該シート本体１の襟首部Ｘ近傍にマグネットシート収容部１ｃを設け、前他側の襟首部Ｘ近傍に前記マグネットシート収容部１ｃと略直角にレジンシート収容部１ｄを設け、被着者が装着した状態においてマグネット４とレジン６とが吸着することで被着者の上半身がシート本体によって覆うようにした。【選択図】          図１
0003119583.tif 000002
【実用新案登録請求の範囲】
【請求項１】
略長方形状の上方中央部に設けられ被着者のネック部に装着される円形開口部をなす襟首部および該襟首部から両側方向へ向かって被着者の背中側に折り返す折返し部が形成されたシート本体と、該シート本体の前記折返し部の一側の襟首部近傍にマグネットが収容されたマグネットシート収容部と、前記折返し部の他側の襟首部近傍に前記マグネットシート収容部と略直角に形成され前記マグネットと吸着されるレジンが収容されるレジンシート収容部とから構成され、被着者が装着した状態において前記マグネットシート収容部内のマグネットとレジンシート収容部内のレジンとが吸着することで被着者のネック部から上半身がシート本体によって覆われるようにしたことを特徴とする美容用カットケープ。
【請求項２】
前記マグネットシート収容部とレジンシート収容部がそれぞれの側に、間隔を空けて略平行に複数設けられることを特徴とする請求項１記載の美容用カットケープ。
【請求項３】
前記マグネットシート収容部に内蔵されるマグネットが、円形状でかつ複数個がポリエチレン等のフイルム素材で圧着しシールされることを特徴とする請求項１記載の美容用カットケープ。
【考案の詳細な説明】
【技術分野】
【０００１】
本考案は、理容室、美容室等で頭髪をカットやパーマ等の施術を行う際に使用する美容用カットケープに関する。
【背景技術】
【０００２】
理容室および美容室などで使用される従来のカットケープは、頭髪セットやパーマ、ヘアダイなどの施術の際に被施術者に髪の毛が付着しない、またパーマ液やヘアダイなどの薬剤が付着しないようにするために被施術者の上半身を覆うようにカットケープを使用している。
従来のカットケープは、被着者のネック部に装着する際に、被着者のネック部に沿わすようにファスナーや装着（マジック）テープなどを使用してカットケープが外れないようにしている。
【０００３】
【特許文献１】実用新案登録第３０６７６４９号
【考案の開示】
【考案が解決しようとする課題】
【０００４】
ところで、前記したカットケープにあっては、被着者のネック部に密着させた状態でファスナーや装着（マジック）テープなどで装着しているが、カットケープは使用頻度が高いものであり、ファスナーや装着（マジック）テープで装着した場合、頭髪カットなどの際はファスナーや装着（マジック）テープの細かい目の間に髪の毛などが付着して非衛生的であるばかりでなく、このファスナーや装着（マジック）テープなどの目に入った髪の毛を徐去するのに固いブラシや櫛の歯などで擦って行っていたので除去に時間が掛かり面倒であった。
【０００５】
またこの固いもので擦って除去する場合は、カットクロスのファスナーや装着（マジック）テープなどの傷みが早くかつカットクロスのシート本体を傷めるなど、カットクロス自体の寿命を短くするなどの課題がある。
【０００６】
さらには、ファスナーや装着（マジック）テープなどで被着者のネック部に装着した場合など、きつく留めるなどもあり何度も装着しなければならないなど被着者に対して良い印象を与えないなどの課題がある。
【０００７】
本考案は前記した課題を解決せんとするもので、その目的とするところは、カットされた髪の毛などが付着せず、かつ、髪の毛を除去するための清掃が簡単であるので、長期間の使用が可能であると共に被着者への装着が容易で、しかも上半身の全体を覆うことが可能な美容用カットケープを提供せんとするにある。
【課題を解決するための手段】
【０００８】
本考案の美容用カットケープは、前記目的を達成せんとするもので、請求項１の手段は、略長方形状の上方中央部に設けられ被着者のネック部に装着される円形開口部をなす襟首部および該襟首部から両側方向へ向かって被着者の背中側に折り返す折返し部が形成されたシート本体と、該シート本体の前記折返し部の一側の襟首部近傍にマグネットが収容されたマグネットシート収容部と、前記折返し部の他側の襟首部近傍に前記マグネットシート収容部と略直角に形成され前記マグネットと吸着されるレジンが収容されるレジンシート収容部とから構成され、被着者が装着した状態において前記マグネットシート収容部内のマグネットとレジンシート収容部内のレジンとが吸着することで被着者のネック部から上半身がシート本体によって覆われるようにしたことを特徴とする。
【０００９】
請求項２の手段は、請求項１において、前記マグネットシート収容部とレジンシート収容部がそれぞれの側に、間隔を空けて略平行に複数設けられることを特徴とする。
【００１０】
請求項３の手段は、請求項１において、前記マグネットシート収容部に内蔵されるマグネットが、円形状でかつ複数個がポリエチレン等のフイルム素材で圧着しシールされることを特徴とする。
【考案の効果】
【００１１】
本考案の美容用カットケープでは、マグネットと、該マグネットに吸着されるレジンとをシート本体に取付けたので、ファスナーや装着（マジック）テープなどのようにカットの際に髪の毛が付着することがなく掃除の手間が掛かることがなく、かつ、カットクロスのシート本体を傷めることがなく、従来のカットクロスの寿命と比較して、カットクロス自体の寿命を大幅に長くすることが可能である。
【００１２】
また、被着者への装着が容易に行えると共にネック部を締め付けこがもなく、さらにマグネットを使用しているため被着者のネック部にフイットした装着感を与え、かつ、マグネットを再利用でき、また、マグネットとレジンとを２段形成することで装着状態を強固に維持することができるなどの効果がある。
【考案を実施するための最良の形態】
【００１３】
本考案は、被着者が装着した状態において前記マグネット収容部内のマグネットとレジンシート収容部内のレジンとを吸着することで被着者のネック部から上半身がシート本体によって覆うことができる。
【実施例１】
【００１４】
以下、本考案に係る美容用カットケープの一実施例を図面とともに説明する。
図１は美容用カットケープ全体図、図２は美容用カットケープ襟首部を示す拡大図、図３は図３に示すＡ−Ａ断面図、図４は図３に示すＢ−Ｂ断面図、図５はマグネットシートを示す図面、図６はレジンーシートを示す図面、図７はカットケープを被着者に装着した状態の使用状態図である。
【００１５】
１は、布地や樹脂などのフイルム状のシートで形成されるシート本体、１ａおよび１ｂは、シート本体と同様の素材で構成されるシート折返し部、１ｃおよび１ｅは後述するマグネットシート３ａおよび３ｂを収容するためのマグネットシート収容部、１ｄおよび１ｆは、後述する鉄粉などで硬化されたレジンシート５ａおよび５ｂを収容するレジンシート収容部である。
１ｇおよび１ｉは、前記マグネット収容部１ｃおよび１ｄに後述するマグネットシート３ａおよび３ｂを出し入れするためのマグネットシート出入口であり、１ｈおよび１ｊは、前記レジンシート１ｄおよび１ｆに後述するレジンシート５ａおよび５ｂを出し入れするためのレジンシート出入口である。
【００１６】
２は縁取り部、２ａは襟首部縁取り部、３ａおよび３ｂは、後述するマグネット４がフイルムなどで圧着してコーティングされるマグネットシート、４はマグネット、５ａおよび５ｂは、後述するレジン６がフイルムなどで圧着されコーティングされるレジンシート、６はレジンである。
Ｘは被着者のネック部に装着される襟首開放部、Ｙは被着者、Ｚは椅子等の背凭れをそれぞれ示す。
【００１７】
以上の構成から、頭髪のカットやパーマ、ヘアダイなどの施術を行う際に本カットケープを装着する場合、カットケープを被着者の前から掛け、前記折返し部１ａおよび１ｂを被着者の背中側に回し、マグネットシート３ａが収容されるマグネットシート収容部１ｃと前記レジンシート５ａが収容されるレジンシート収容部１ｄを装着させるとカットケープは被着者に吸着するようになっている。
なおマグネットシート３ａおよびレジンシート５ａはそれぞれマグネットシート出入口１ｇおよびレジンシート出入口１ｈより挿入されるように構成されており、出し入れ自在になっている。
【００１８】
吸着部を複数個使用する場合は、同様に別のマグネットシート３ｂとレジンシート５ｂを合わせて吸着させるようにすることもできる。
同様にマグネットシート３ｂおよびレジンシート５ｂはそれぞれマグネットシート出入口１ｉおよびレジンシート出入口１ｊより挿入されるように構成されており、出し入れ自在になっている。
前記マクネットシート３ａおよび３ｂならびにレジンシート５ａおよび５ｂは出し入れ自在になっているため、他に転用することもできる。
【００１９】
これにより、本考案の美容用カットケープを容易に被着者に対して装着することができ、装着（マジック）テープなどのように髪の毛などが付着することもなく、これにより掃除をすることもなく煩わしさがない。
さらに前記したようにシート本体を傷つけることもなく、使用頻度が多くてもカットケープ自体の寿命は短くなることもない。
【図面の簡単な説明】
【００２０】
【図１】本考案に係る美容用カットケープ全体図である。
【図２】本考案に係る美容用カットケープ襟首部を示す拡大図である。
【図３】本考案に係る図３に示すＡ−Ａ断面図である。
【図４】本考案に係る図３に示すＢ−Ｂ断面図である。
【図５】本考案に係るマグネットシートを示す図面である。
【図６】本考案に係るレジンーシートを示す図面である。
【図７】本考案はカットケープを被着者に装着した状態の使用状態図である。
【符号の説明】
【００２１】
Ｘ          襟首部
Ｙ          被着者
Ｚ          椅子背凭れ
１          シート本体
１ａ、１ｂ  折返し部
１ｃ、１ｅ  マグネットシート収容部
１ｄ、１ｆ  レジンシート収容部
１ｇ、１ｉ  マグネットシート出入部
１ｈ、１ｊ  レジンシート出入部
２          縁取り部
３ａ、３ｂ  マグネットシート
４          マグネット
５ａ、５ｂ  レジンシート
６          レジン
【図１】
0003119583.tif 000003
【図２】
0003119583.tif 000004
【図３】
0003119583.tif 000005
【図４】
0003119583.tif 000006
【図５】
0003119583.tif 000007
【図６】
0003119583.tif 000008
【図７】
0003119583.tif 000009